(57)【要約】      （修正有）【課題】電動モータの点検整備作業における作業員の負荷を軽減できる作業デスクを提供する。【解決手段】作業デスク１は、水平かつ平坦なテーブル２上に設置されるローラコンベア３と、テーブル２を床面から所定の高さに支持する支持構造体４と、ローラコンベア３上を水平方向に人力で往復運動可能な可動台５と、可動台５上に配設され、かつ可動台５の中心点を通る鉛直な回転軸の周りに人力で回転可能な回転台６と、ローラコンベア３の両端に対向して配設される一対の門型吊り具７と、を有する。【選択図】図１
0003217896.tif 000002
【実用新案登録請求の範囲】
【請求項１】
電動モータの点検整備作業のために作業員が使用する作業デスクであって、
水平かつ平坦なテーブル上に設置されるローラコンベアと、
前記テーブルを床面から所定の高さに支持する支持構造体と、
前記ローラコンベア上を水平方向に人力で往復運動可能な可動台と、
該可動台上に配設され、かつ前記可動台の中心点を通る鉛直な回転軸の周りに人力で回転可能な回転台と、
前記ローラコンベアの両端に対向して配設される一対の門型吊り具と、
を有することを特徴とする作業デスク。
【請求項２】
前記支持構造体を前記床面上の所定の位置へ移動させる移動手段と、
前記支持構造体を前記床面上の所定の位置で固定して、移動を防止する固定手段と、
前記移動手段または前記固定手段のいずれか一方を選択して使用するための切り替え手段と、
を有することを特徴とする請求項１に記載の作業デスク。
【考案の詳細な説明】
【技術分野】
【０００１】
本考案は、電動モータから回転子を引き抜いて、点検整備を行なった後、再び組み立てる作業（以下、点検整備作業という）を行なう際に、作業員が使用する作業デスクに関するものである。
【背景技術】
【０００２】
種々の生産設備や運搬設備を備えた工場では、多数の電動モータが使用されている。工場の操業中にそれらの電動モータが故障すると、操業に多大な悪影響を及ぼす事態（たとえば製造ラインの円滑な稼働が損なわれる、部品や製品の運搬が滞留する等）を引き起こす。
【０００３】
そこで、操業に及ぼす影響を最小限に抑えるために、電動モータの予備品を保管しておき、生産設備や運搬設備で使用中の電動モータが故障した時に、その電動モータを予備品と交換して、工場を操業するという対策が講じられている。生産設備や運搬設備から取り外された電動モータは、オフラインで点検整備作業を行なった後、予備品として保管される。
【０００４】
あるいは、故障した電動モータの予備品が保管されていない場合は、当該設備の稼働を停止した状態で点検整備作業を行なう。
【０００５】
点検整備作業では、電動モータから回転子を抜き出す必要があるが、電動モータが重量物（50〜500kg程度）であることから、作業員が無理な姿勢で作業を行なうと腰痛あるいは怪我の原因になる惧れがある。また回転子の抜き出しの他にも作業内容に応じて、電動モータを載置した作業デスクの周囲を作業員が移動する必要があるので、狭い空間で点検整備作業を行なうのは困難であり、かつ身体的疲労が大きくなる。
【０００６】
このような点検整備作業における負荷を軽減するために、従来から様々な技術が検討されている。
【０００７】
たとえば特許文献１には、レール上を走行する滑車で回転子を吊り下げて固定子から抜き出すことが可能な分解組立装置が開示されている。この分解組立装置では、吊り下げられた回転子を滑車によって移動させるので、抜き出し作業中（すなわち回転子の移動中）に回転子の揺れが生じやすい。回転子が大きく揺れた場合は、固定子に接触して、回転子および／または固定子の変形や損傷を引き起こす。作業員が回転子を押さえながら抜き出すことによって、回転子の揺れを防止できるが、点検整備作業における作業員の負荷を軽減できない。
【０００８】
また特許文献１に開示された分解組立装置は、移動手段を備えておらず、床面に固定して使用されるものである。したがって点検整備作業を行なうために、重量物である電動モータを分解組立装置へ運ぶ必要がある。
【０００９】
つまり、電動モータの点検整備作業における作業員の負荷を軽減する技術は、未だ確立されていない。
【先行技術文献】
【特許文献】
【００１０】
【特許文献１】実公平6-9569号公報
【考案の概要】
【考案が解決しようとする課題】
【００１１】
本考案は、従来の技術の問題点を解消し、電動モータの点検整備作業における作業員の負荷を軽減できる作業デスクを提供することを目的とする。
【課題を解決するための手段】
【００１２】
本考案者は、回転子の引き抜き作業における回転子の揺れを防止する技術について検討した。そして、回転子を吊り下げて移動させることが揺れの原因である点に注目した。つまり、回転子を抜き出すためには、回転子が固定子に接触しないように吊り具を用いて保持する必要があるものの、保持した状態で回転子を移動させずに静止させることによって、回転子の揺れを防止できる。
【００１３】
次に、回転子を固定子から抜き出すために、回転子が静止した状態で、固定子を移動させる。こうして回転子を固定子から抜き出すことができ、しかも、回転子の揺れは発生しないので、作業員が回転子を押さえる必要はない。
【００１４】
本考案は、このような知見に基づいてなされたものである。
すなわち本考案は、電動モータの点検整備作業のために作業員が使用する作業デスクであって、水平かつ平坦なテーブル上に設置されるローラコンベアと、テーブルを床面から所定の高さに支持する支持構造体と、ローラコンベア上を水平方向に人力で往復運動可能な可動台と、可動台上に配設され、かつ可動台の中心点を通る鉛直な回転軸の周りに人力で回転可能な回転台と、ローラコンベアの両端に対向して配設される一対の門型吊り具と、を有する作業デスクである。
【００１５】
本考案の作業デスクにおいては、支持構造体を床面上の所定の位置へ移動させる移動手段と、支持構造体を床面上の所定の位置で固定して、移動を防止する固定手段と、移動手段または固定手段のいずれか一方を選択して使用するための切り替え手段と、を有することが好ましい。
【考案の効果】
【００１６】
本考案によれば、電動モータの点検整備作業における作業員の負荷を軽減でき、しかも比較的狭い場所でも点検整備作業を行なうことが可能であるから、産業上格段の効果を奏する。
【図面の簡単な説明】
【００１７】
【図１】本考案の作業デスクの例を模式的に示す斜視図である。
【考案を実施するための形態】
【００１８】
図１に示すように、本考案の作業デスク１において、水平かつ平坦なテーブル２が支持構造体４によって床面（図示せず）から所定の高さに支持される。テーブル２の高さは特に限定せず、点検整備作業を行なう環境に応じて適宜設定する。つまり、作業員が椅子に座って点検整備作業を行なう場合、あるいは、立ち姿勢で点検整備作業を行なう場合等、それぞれの作業場の状況に合わせてテーブル２の高さを設定する。
【００１９】
そして、テーブル２の上面にローラコンベア３が設置される。可動台５は、そのローラコンベア３上を水平方向に自在に移動する。図１に示す例では横方向（すなわち左右の両方向）に往復運動を行なう。ただし可動台５は駆動力源を備えておらず、作業員が人力でローラコンベア３上を移動させる。ローラコンベア３上の可動台５を移動させる際の、作業員に掛かる負荷は極めて軽微である。
【００２０】
可動台５の上面には回転台６が回転可能に配設される。回転台６の回転軸は、可動台５上面の中心点を通り、かつ鉛直な回転軸である。したがって回転台６は、テーブル２に平行（すなわち水平）な面内で回転する。回転台６の回転も作業員が人力で行なう。回転の際に摩擦が生じる部位にベアリング（図示せず）等を取り付けることによって、回転台６を回転させるための負荷を大幅に軽減することができる。
【００２１】
電動モータの点検整備作業を行なう時は、その電動モータ（図示せず）を回転台６に載置する。そして点検整備作業における様々な作業内容（たとえば各種部品の取り外しや取り付け等）に応じて、作業員が可動台５を移動させたり、回転台６を回転させる。こうして、作業員は一定の場所に座ったままで、あるいは立ったままで、点検整備作業に行なうことが可能となる。つまり、作業員が作業デスクの周囲を移動する必要がなくなるので、負荷の軽減に寄与する。
【００２２】
また、作業員が作業デスクの周囲を移動しないので、そのための空間も不要である。その結果、比較的狭い場所でも点検整備作業を行なうことが可能となる。たとえば建屋の壁に作業デスクを当接させて、電動モータの点検整備作業を行なうことが可能である。
【００２３】
回転子を抜き出す際には、ローラコンベア３の両端に対向して配設される一対の門型吊り具７を使用する。その手順を以下に説明する。
【００２４】
回転台６に電動モータを載置して、回転子の抜き出し作業を阻害する部品を取り外した後、回転台６を回転させて、回転子の回転軸とローラコンベア３の搬送方向とを平行にする。次に、可動台５をローラコンベア３の一端に移動させ、さらに両側の門型吊り具７を用いて回転子を固定子から浮かせた状態で静止させる。そして、可動台５をローラコンベア３の他端へ移動させて、固定子のみを移動させる。固定子の移動方向は、回転子の回転軸に平行である。この時、門型吊り具７のワイヤが可動台５の移動を妨げないように、鋼管等を用いて回転子の回転軸を延長することが好ましい。つまり、門型吊り具７のワイヤを鉛直下方に垂下させた状態で回転子を保持することが好ましい。
【００２５】
このようにして回転子を抜き出すことができる。しかも、回転子の揺れは発生しないので、回転子と固定子の接触も発生せず、回転子および／または固定子の変形や損傷を防止できる。
【００２６】
これらの作業を行なう間は、作業デスク１を床面上の所定の位置で固定して、不必要な移動を防止する必要がある。一方で、支持構造体４に移動手段（たとえばキャスタ等）を取り付けて、床面上の所定の位置へ移動できるような構成にすると、重量物である電動モータを作業デスク１に載せて（具体的には回転台６に載置して）、点検整備作業を行なう場所まで運搬することが可能となるので好ましい。あるいは、オンラインで使用中の電動モータが故障した時には、作業デスク１をその電動モータの近傍へ移動させて点検整備作業を行なうことも可能となる。
【００２７】
ただし、点検整備作業を行なう間は作業デスク１が不意に移動するのを防止する必要があるので、床面上の所定の位置で固定する固定手段、ならびに、移動手段または固定手段のいずれか一方を選択して使用するための切り替え手段を、支持構造体４に取り付けることが好ましい。
【００２８】
また、門型吊り具７は着脱可能とし、作業内容に応じて取り付けたり取り外したりできるように配設すれば、作業員が作業をしやすくなるので好ましい。
【実施例】
【００２９】
本考案の作業デスクを用いて電動モータの点検整備作業を10回行なった。いずれも、作業員は椅子に座って点検整備作業を行なうことができた。また、回転子、固定子等の全ての部品の変形や損傷は認められなかった。
【符号の説明】
【００３０】
１  作業デスク
２  テーブル
３  ローラコンベア
４  支持構造体
５  可動台
６  回転台
７  門型吊り具
【図１】
0003217896.tif 000003